(57)【要約】  画像情報を含む光である画像光を眼鏡のレンズ面に向けて出射する画像出力部を含む眼鏡型画像表示装置において、画像出力部から出射された画像光を複製する回折光学系素子（透過ホログラム２０Ａ）と、複製されたそれぞれの光に独立に反応し（例えば独立に反射し）、当該反応の際に反応後の各光が、眼鏡型画像表示装置を装着したユーザの眼へ向けて、互いに平行な方向へ進むように方向調整する方向調整用光学系素子（反射ホログラム３０Ａ）と、を設けた。
2020246256.tif 000002
【特許請求の範囲】
【請求項１】
画像情報を含む光である画像光を眼鏡のレンズ面に向けて出射する画像出力部、を含む眼鏡型画像表示装置であって、
前記画像出力部から出射された画像光を複製する回折光学系素子と、
前記回折光学系素子により複製されたそれぞれの光に独立に反応し、当該反応の際に反応後の各光が、当該眼鏡型画像表示装置を装着したユーザの眼へ向けて、互いに平行な方向へ進むように方向調整する方向調整用光学系素子と、
を備える眼鏡型画像表示装置。
【請求項２】
前記方向調整用光学系素子は、
前記眼鏡型画像表示装置を装着したユーザの瞳孔内に複数の光が入射するように、互いに平行な方向へ進む前記各光の方向調整を行う、
請求項１に記載の眼鏡型画像表示装置。
【請求項３】
前記回折光学系素子は、前記眼鏡のレンズ面に設けられ、前記画像出力部から出射された画像光を複数の光に複製して透過する透過ホログラム、により構成され、
前記方向調整用光学系素子は、前記眼鏡のレンズ面に設けられ、前記透過ホログラムにより透過された前記複数の光を独立に反射し、当該反射の際に反射された各光が、当該眼鏡型画像表示装置を装着したユーザの眼へ向けて、互いに平行な方向へ進むように方向調整する反射ホログラム、により構成される、
請求項１又は２に記載の眼鏡型画像表示装置。
【請求項４】
前記回折光学系素子は、前記眼鏡のレンズ面に設けられ、前記画像出力部から出射された画像光を複数の光に複製して反射する反射ホログラム、により構成され、
前記方向調整用光学系素子は、前記眼鏡のレンズ面に設けられ、前記反射ホログラムにより反射された前記複数の光を独立に透過し、当該透過の際に透過された各光が、当該眼鏡型画像表示装置を装着したユーザの眼へ向けて、互いに平行な方向へ進むように方向調整する透過ホログラム、により構成される、
請求項１又は２に記載の眼鏡型画像表示装置。
【請求項５】
前記回折光学系素子は、前記画像出力部から出射された画像光を、導波路方式に基づき複数の光に複製し、複製された複数の光を前記眼鏡のレンズ面へ向けて射出する導波路、により構成される、
請求項１又は２に記載の眼鏡型画像表示装置。
【請求項６】
前記画像出力部から出射された画像光をより細く成型するための成型用光学系素子、
をさらに備える請求項１〜５の何れか一項に記載の眼鏡型画像表示装置。
【発明の詳細な説明】
【技術分野】
【０００１】
本発明は、眼鏡型画像表示装置に関する。なお、「画像」には、静止画像および動画像が含まれるものとする。
【背景技術】
【０００２】
従来、眼鏡のレンズ面に画像を表示する眼鏡型画像表示装置が知られている（例えば特許文献１参照）。特許文献１に記載された眼鏡型画像表示装置では、眼鏡のレンズ面に対して垂直な方向から画像が投影される。また、近年では、眼鏡型画像表示装置を小型化して取り扱いやすくするために、眼鏡のレンズ面に対し、眼鏡のテンプル側から斜めに画像を投影する技術が知られている。
【先行技術文献】
【特許文献】
【０００３】
【特許文献１】特開２０１６−１３１２７０号公報
【発明の概要】
【発明が解決しようとする課題】
【０００４】
上記のような眼鏡型画像表示装置に係る技術分野において、ユーザが眼鏡型画像表示装置を装着した場合に眼を動かしても画像が見える範囲は「Eyebox（アイボックス）」と呼ばれ、ユーザが安定的に画像を視認する上で、Eyeboxを拡大することは欠かせない。【０００５】
従来の眼鏡型画像表示装置に係る技術として、例えば、画像光をユーザの眼へ向けて投射する網膜投射方式が有り、この網膜投射方式は、虚像を形成する画素の拡散光が、限りなく細く、平行に近い状態のものであり、人の水晶体での光の屈折の影響が無い又は非常に小さい方式として知られている。この網膜投射方式は、Eyeboxが狭い方式として知られていたが、Eyeboxを広げる方法も検討されている。しかし、その場合、視野角に限界がある点が指摘されていた。このように従来の眼鏡型画像表示装置に係る技術では、広い視野角を維持しながらEyeboxを拡大することが課題とされていた。【０００６】
本発明は、上記に鑑みてなされたものであり、広い視野角を維持しながらEyeboxを拡大することができる眼鏡型画像表示装置を提供することを目的とする。
【課題を解決するための手段】
【０００７】
本発明の一形態に係る眼鏡型画像表示装置は、画像情報を含む光である画像光を眼鏡のレンズ面に向けて出射する画像出力部、を含む眼鏡型画像表示装置であって、前記画像出力部から出射された画像光を複製する回折光学系素子と、前記回折光学系素子により複製されたそれぞれの光に独立に反応し、当該反応の際に反応後の各光が、当該眼鏡型画像表示装置を装着したユーザの眼へ向けて、互いに平行な方向へ進むように方向調整する方向調整用光学系素子と、を備える。【０００８】
このような眼鏡型画像表示装置では、画像情報を含む光である画像光が、画像出力部から眼鏡のレンズ面に向けて出射され、出射された画像光は回折光学系素子により複製される。そして、方向調整用光学系素子は、複製されたそれぞれの光に独立に反応し、当該反応の際に反応後の各光が、当該眼鏡型画像表示装置を装着したユーザの眼へ向けて、互いに平行な方向へ進むように方向調整する。上記の反応後の各光は、ユーザの眼へ向けて互いに平行な方向へ進み、ユーザにより同じ方向から来た光と認識される。そのため、ユーザが眼を動かしても画像が見える範囲であるEyeboxを拡大することができる。一方、詳細は、図４（ａ）等を用いて後述するが、例えばホログラムにより構成される、回折光学系素子および方向調整用光学系素子においては、作成（露光）時の物体光の角度が再生時の視野角となるため、作成（露光）時の物体光の角度を調整することで再生時の広視野角化を図ることができる。このように、広い視野角を維持しながらEyeboxを拡大することができる。
【発明の効果】
【０００９】
本発明によれば、広い視野角を維持しながらEyeboxを拡大することができる眼鏡型画像表示装置を提供できる。
【図面の簡単な説明】
【００１０】
【図１】眼鏡型画像表示装置を模式的に示す図である。
【図２】光の複製および反射に係る第１の態様を示す図である。
【図３】複製された光の間隔を説明するための図である。
【図４】（ａ）はホログラムの作成を説明するための図であり、（ｂ）はホログラムにおける再生を説明するための図である。
【図５】（ａ）はスキャンディスプレイを用いた場合の再生光を説明するための図であり、（ｂ）は平面型ディスプレイを用いた場合の再生光を説明するための図である。
【図６】再生光をより細く成型するための構成を説明するための図である。
【図７】ホログラムの多重記録を説明するための図である。
【図８】光の複製および反射に係る第２の態様を示す図である。
【図９】導波路を用いた第３の態様を説明するための図である。
【図１０】導波路の概要を説明するための図である。
【図１１】（ａ）は再生光の全体のイメージを説明するための図であり、（ｂ）は（ａ）を形成する一単位を示す図である。
【図１２】制御部のハードウェア構成例を示す図である。
【発明を実施するための形態】
【００１１】
以下、添付図面を参照して、本発明を実施するための形態を詳細に説明する。なお、図面の説明においては同一要素には同一符号を付し、重複する説明を省略する。
【００１２】
図１は、発明の実施形態に係る眼鏡型画像表示装置１を模式的に示す図である。眼鏡型画像表示装置１は、眼鏡のレンズ面に画像（静止画像および動画像）を表示することにより、眼鏡を装着したユーザ（以下、単に「ユーザ」と記載）に画像を視認させる表示装置である。眼鏡型画像表示装置１は、眼鏡のテンプル５２に組み付けられた画像表示ユニット１０から出射された画像光をユーザの瞳孔に入射させることにより、ユーザに画像を視認させる。なお、画像表示ユニット１０においてディスプレイ表示に用いられる照明光としては、LED（Light  Emitting  Diode）の光を用いてもよいし、レーザー光を用いてもよい。
【００１３】
眼鏡型画像表示装置１は、眼鏡の基本構成を具備しており、図１に示すように、両眼に対応する一対のレンズ５０、両眼のレンズ５０を保持するフレーム間を架け渡すブリッジ５１、および、両眼のレンズ５０を保持するフレームに連続すると共にユーザの側頭部に固定される一対のテンプル５２等の構成を備えている。レンズ５０は、入射した（投影された）画像光の少なくとも一部をユーザの瞳孔に向けて反射する。レンズ５０の入射面において反射した画像光は、瞳孔から見て虚像として像を形成する。これにより、ユーザに画像を視認させることができる。なお、眼鏡型画像表示装置１は、テンプル５２におけるユーザの耳に対応した位置に、画像に応じた音声を出力するスピーカー（不図示）を有してもよい。
【００１４】
眼鏡型画像表示装置１は、画像表示ユニット１０を備えている。画像表示ユニット１０は、コンテンツ蓄積部１１と画像出力部１２と制御部１３とを備える。このうち画像出力部１２は例えばテンプル５２上に配置される。なお、眼鏡型画像表示装置１は、上述した画像表示ユニット１０の各構成を、両眼それぞれに対応して有しているが、当該両眼それぞれに対応する構成の機能は互いに同一であるため、以下の説明においては片方の眼に対応した構成のみを説明する。
【００１５】
コンテンツ蓄積部１１は、ユーザに視認させるコンテンツを蓄積する構成であり、ユーザに視認させるコンテンツとは、本実施形態ではレンズ５０に投影される画像である。コンテンツ蓄積部１１は、テンプル５２上に配置されていてもよいし、テンプル５２から離れた位置に配置されていてもよい。
【００１６】
画像出力部１２は、画像情報を含む光である画像光を出力する構成であり、有線または無線接続によりコンテンツ蓄積部１１から画像情報を取得し、取得した画像情報に関する画像光を出射する。画像出力部１２には、光源およびディスプレイが含まれ、光源から出射された照射光をディスプレイにおいて反射させて、画像情報を含む画像光として出力する。
【００１７】
制御部１３は、各種の制御を行う回路である。制御部１３のハードウェア構成については後述する。制御部１３は、例えば、画像出力部１２によって、コンテンツ蓄積部１１からの画像の取得および画像光の出射が行われるように、画像出力部１２に所定の制御信号を出力する。
【００１８】
［眼鏡型画像表示装置１の特徴について］
眼鏡型画像表示装置１は、機能的な側面からみると、画像出力部１２から出射された画像光を複製する「回折光学系素子」と、複製されたそれぞれの光に独立に反応し、当該反応の際に反応後の各光がユーザの眼へ向けて、互いに平行な方向へ進むように方向調整する「方向調整用光学系素子」とを備え、以下に示すさまざまな態様を採用することができる。
【００１９】
（第１の態様）
以下、上記の回折光学系素子および方向調整用光学系素子に関する第１の態様について説明する。図２に示すように、第１の態様では、回折光学系素子が、画像出力部１２から出射された画像光を複数の光に複製して透過する透過ホログラム２０Ａにより構成され、方向調整用光学系素子が、透過ホログラム２０Ａにより透過された複数の光を独立に反射し、当該反射の際に反射された各光が、眼鏡型画像表示装置１を装着したユーザの眼へ向けて、互いに平行な方向へ進むように方向調整する反射ホログラム３０Ａ、により構成される。ここでの「互いに平行な方向へ進む」とは、同じ画像における同じ位置の画素からの画像光が、複製され反射された後、ユーザの眼へ向けて互いに平行な方向へ進むことを意味する。透過ホログラム２０Ａは、眼鏡レンズ面５０Ａにおけるユーザの眼に近い側の面（図２における下面）に形成され、反射ホログラム３０Ａは、眼鏡レンズ面５０Ａにおけるユーザの眼から遠い側の面（図２における上面）に形成されている。ここでは、回折光学系素子、方向調整用光学系素子ともホログラムにより構成される例を示すが、ホログラム以外に、積層した回折格子などにより構成してもよい。
【００２０】
図２では、説明のため、画像光における端部の光Ａ、Ｂ、および、これらの透過光・反射光の進路を示している。透過ホログラム２０Ａは、入射した画像光Ａを複数の光Ａ１、Ａ２、Ａ３に複製して透過し、反射ホログラム３０Ａは、複数の光Ａ１、Ａ２、Ａ３を独立に反射し、当該反射の際に反射された光ＡＲ１、ＡＲ２、ＡＲ３がユーザの眼へ向けて、互いに平行な方向へ進むように方向調整する。同様に、透過ホログラム２０Ａは、入射した画像光Ｂを複数の光Ｂ１、Ｂ２、Ｂ３に複製して透過し、反射ホログラム３０Ａは、複数の光Ｂ１、Ｂ２、Ｂ３を独立に反射し、当該反射の際に反射された光ＢＲ１、ＢＲ２、ＢＲ３がユーザの眼へ向けて、互いに平行な方向へ進むように方向調整する。上記のように透過ホログラム２０Ａによって画像光を複製する際には、複製後の各光の収差度合いが同じになるよう調整することが望ましい。具体的には、図２において、複製された光Ａ１、Ｂ１が平行になるように調整する。同様に、複製された光Ａ２、Ｂ２が平行になるように調整し、複製された光Ａ３、Ｂ３が平行になるように調整する。上記のように複製後の光線が平行に進むように調整することで、画像光Ａから複製された各光Ａ１、Ａ２、Ａ３の収差度合いが同じになるよう調整することができ、同じく、画像光Ｂから複製された各光Ｂ１、Ｂ２、Ｂ３の収差度合いも同じになるよう調整することができる。上記の方向調整機能は、後述するホログラムの多重記録を利用することで実現する。
【００２１】
図３に示すように、反射光ＡＲ１、ＢＲ１は例えばユーザの瞳孔上で収束し、同様に、反射光ＡＲ２、ＢＲ２も瞳孔上で収束し、反射光ＡＲ３、ＢＲ３も瞳孔上で収束する。上記のように複製された複数の光がユーザの瞳孔に入射され、Eyeboxは平行に並べる光線の数に応じた範囲Ｗ２となる。図３は一例であるが、複数の光を並べる間隔Ｗ１は、明るい環境では2mm前後、暗い環境では5mm前後が望ましく、瞳孔内に２つ以上の光線が入るように設計される。
【００２２】
ここで、ホログラムの作成（露光）と再生について概説する。図４（ａ）に示すように、破線で示す波面（物体光）と実線で示す波面（参照光）とによってホログラムを作成（露光）する。再生については、図４（ｂ）において実線で示す拡散していない画像光を再生光として利用する。このとき、画像光の主光線を露光時の参照光（図４（ａ）の実線）に合わせるようにする。これにより、図４（ｂ）において広視野角の点線の光が再生される。ここでは、ホログラム作成（露光）時の物体光の角度が再生時の視野角となるので、ホログラム作成（露光）時の物体光の角度を調整することで、再生時の広視野角化を図ることができる。
【００２３】
次に、図５（ａ）と図５（ｂ）を用いて、再生光学系について概説する。図５（ａ）に示すように再生光の光源がスキャンディスプレイである場合は、スキャンディスプレイの光線の方向を、ホログラム露光時の参照光線の方向に一致させるように設定する。また、図５（ｂ）に示すように再生光の光源が平面型ディスプレイ（例えばLiquid  crystal  on  silicon（Lcos）（登録商標）など）である場合は、調整用レンズ６０を用いて、再生光の主光線の方向を、ホログラム露光時の参照光線の方向に一致させるように設定する。上記の構成では、図５（ａ）の角度Ｘ、図５（ｂ）の角度Ｙがたとえ狭くても、図４（ａ）、（ｂ）に基づき前述したように、ホログラム作成（露光）時の物体光の角度を調整することで再生時の広視野角化を図ることができる、という利点がある。
【００２４】
一般に広く使われているLcos（登録商標）、DMD（Digital  Micromirror  Device）などのディスプレイでは、画素サイズが小さいため、画素が回折格子（スリット）のように働き、ディスプレイ光（再生光）が拡散することが知られている。そこで、図６に示すように、拡散する再生光を、より細く成型するための成型用レンズ６１（成型用光学系素子）をさらに設けてもよい。この場合、画像のボケを防止し、高解像度化を図ることができる。
【００２５】
前述したように、図２の反射ホログラム３０Ａは、複数の光Ａ１、Ａ２、Ａ３を独立に反射し、当該反射の際に反射された光ＡＲ１、ＡＲ２、ＡＲ３がユーザの眼へ向けて、互いに平行な方向へ進むように方向調整する。このような方向調整機能は、ホログラムの多重記録を利用することで実現する。ホログラムの多重記録とは、１枚のホログラムに複数の干渉縞を作成する記録手法であり、実際には、厚みの有る体積型ホログラムにおいて実現される。図７に示すように、ホログラムの多重記録を施せば、複数の光線が一度に眼鏡レンズ面に入射しても、眼鏡レンズ面に設けられたホログラム（多重記録を施したホログラム）は、それぞれの光線を独立に、任意の方向に反射するように構成できる。例えば、図７において光線Ｘ１、Ｙ１が一度に眼鏡レンズ面に入射しても、眼鏡レンズ面に形成されたホログラムＸが光線Ｘ１を矢印Ｘ２の方向へ反射し、同じく眼鏡レンズ面に形成されたホログラムＹが光線Ｙ１を矢印Ｙ２の方向へ、それぞれ独立に反射するように構成できる。ここで、ホログラムＸとホログラムＹは一枚のフィルム状に、体積型ホログラムとして形成することができる。その際、ホログラムが有する角度依存性によって、ホログラムＸは、光線Ｘ１には反応するが、光線Ｘ１とは異なる角度で入射する光線Ｙ１には反応しない。また、ホログラムＹは、光線Ｙ１には反応するが、光線Ｙ１とは異なる角度で入射する光線Ｘ１には反応しない。これにより、異なる角度で入射する複数の光を独立に反射する構成を実現できる。
【００２６】
（第２の態様）
次に、回折光学系素子および方向調整用光学系素子に関する第２の態様について説明する。図８に示すように、第２の態様では、回折光学系素子が、画像出力部１２から出射された画像光を複数の光に複製して反射する反射ホログラム３０Ｂ、により構成され、方向調整用光学系素子が、反射ホログラム３０Ｂにより反射された複数の光を独立に透過し、当該透過の際に透過された各光がユーザの眼へ向けて、互いに平行な方向へ進むように方向調整する透過ホログラム２０Ｂ、により構成される。透過ホログラム２０Ｂは、眼鏡レンズ面５０Ｂにおけるユーザの眼に近い側の面（図８における下面）に形成され、反射ホログラム３０Ｂは、眼鏡レンズ面５０Ｂにおけるユーザの眼から遠い側の面（図８における上面）に形成されている。ここでは、回折光学系素子、方向調整用光学系素子ともホログラムにより構成される例を示すが、ホログラム以外に、積層した回折格子などにより構成してもよい。
【００２７】
図８では、説明のため、画像光における端部の光Ｃ、Ｄ、および、これらの透過光・反射光の進路を示している。反射ホログラム３０Ｂは、入射した画像光Ｃを複数の光Ｃ１、Ｃ２、Ｃ３に複製して反射し、透過ホログラム２０Ｂは、複数の光Ｃ１、Ｃ２、Ｃ３を独立に透過し、当該透過の際に透過された光ＣＲ１、ＣＲ２、ＣＲ３がユーザの眼へ向けて、互いに平行な方向へ進むように方向調整する。同様に、反射ホログラム３０Ｂは、入射した画像光Ｄを複数の光Ｄ１、Ｄ２、Ｄ３に複製して反射し、透過ホログラム２０Ｂは、複数の光Ｄ１、Ｄ２、Ｄ３を独立に透過し、当該透過の際に透過された光ＤＲ１、ＤＲ２、ＤＲ３がユーザの眼へ向けて、互いに平行な方向へ進むように方向調整する。上記の方向調整機能は、第１の態様と同様に、前述したホログラムの多重記録を利用することで実現される。
【００２８】
図８に示すように、反射光ＣＲ１、ＤＲ１がユーザの瞳孔上で収束し、同様に、反射光ＣＲ２、ＤＲ２も瞳孔上で収束し、反射光ＣＲ３、ＤＲ３も瞳孔上で収束する。上記のように複製された複数の光がユーザの瞳孔に入射され、Eyeboxは平行に並べる光線の数に応じた範囲Ｗ２となる。図８は一例であるが、複数の光を並べる間隔Ｗ１は、明るい環境では2mm前後、暗い環境では5mm前後が望ましく、瞳孔内に２つ以上の光線が入るように設計される。また、第２の態様では、図４〜図７を基づき説明した技術事項は第１の態様と同様である。
【００２９】
（第３の態様）
次に、第３の態様について説明する。図９に示すように、第３の態様では、回折光学系素子は、画像出力部１２から出射された画像光を導波路方式に基づき複数の光に複製し、複製された複数の光を前記眼鏡のレンズ面へ向けて射出する導波路４０、により構成される。
【００３０】
図１０に示すように、例えば、導波路４０は、導波ガラス４０Ａと回折光学素子４０Ｂとを含んで構成される。回折光学素子４０Ｂは、入射した光Ｅを反射し、異なる箇所で反射して複数の光Ｅ１、Ｅ２、Ｅ３として出射する。同様に、回折光学素子４０Ｂは、入射した光Ｆを反射し、異なる箇所で反射して複数の光Ｆ１、Ｆ２、Ｆ３として出射する。このようにして、導波路４０を用いて、画像光を導波路方式に基づき複数の光に複製し、複製された複数の光を眼鏡のレンズ面へ向けて射出する構成とすることができる。
【００３１】
図１１（ａ）には、第１〜第３の態様において眼鏡レンズ面へ出射される光線のイメージを示す。図１１（ａ）に示す多数の光線は、画像光を複製する回折光学素子によって上下方向、左右方向にずらして複製されたものであり、図１１（ｂ）に示す光線を多数形成することで生成される。なお、図１１（ａ）で上下方向、左右方向にずらす間隔は、例えば、明るい環境で用いられることを考慮し、約2mmとなるように設計される。
【００３２】
（効果について）
上述した発明の実施形態によれば、比較的簡易な光学系の構成によって、眼鏡型画像表示装置を装着したユーザの眼へ向けて、画像光が互いに平行な方向へ進むように方向調整することができ、幅広いEyeboxを実現することができる。また、図４（ａ）を用いて前述したように、ホログラム作成（露光）時の物体光の角度が再生時の視野角となるので、ホログラム作成（露光）時の物体光の角度を調整することで、再生時の広視野角化を図ることができる。このように、広い視野角を維持しながらEyeboxを拡大することができる。
【００３３】
上記の方向調整では、ユーザの瞳孔内に２つ以上の光線が入るように設計され、ユーザによる画像の視認性を高めている。
【００３４】
また、図６を用いて前述したように、拡散するディスプレイ光（再生光）を、より細く成型するための成型用レンズ６１（成型用光学系素子）をさらに設けることで、画像のボケを防止し、高解像度化を図ることができる。
【００３５】
（その他）
以上、本発明の一実施形態に係る眼鏡型画像表示装置について説明したが、上記の構成に限定されず、適宜変更することができる。ユーザ向けに表示させる画像は、動画像（映像）であっても静止画像であってもよい。
【００３６】
また、眼鏡型画像表示装置に設けられる光学部品の数、配置等は、少なくとも上記実施形態で説明した構成を満たしていればよく、上記実施形態で説明した光学部品とは異なる光学部品が光路内に設けられていてもよい。
【００３７】
例えば、眼鏡型画像表示装置１における制御部１３は、コンピュータとして機能してもよい。図１２は、制御部１３のハードウェア構成の一例を示す図である。上述の制御部１３は、物理的には、プロセッサ１００１、メモリ１００２、ストレージ１００３、通信装置１００４、入力装置１００５、出力装置１００６、及びバス１００７などを含むコンピュータ装置として構成されてもよい。制御部１３における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００３８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更された態様として実施することができる。したがって、本明細書の記載は、例示説明を目的とするものであり、本発明に対して何ら制限的な意味を有するものではない。
【００３９】
本明細書で説明した各態様／実施形態の処理手順などは、矛盾の無い限り、順序を入れ替えてもよい。例えば、本明細書で説明した方法については、例示的な順序で様々なステップの要素を提示しており、提示した特定の順序に限定されない。
【００４０】
入出力された情報等は特定の場所（例えば、メモリ）に保存されてもよいし、管理テーブルで管理されてもよい。入出力される情報等は、上書き、更新、又は追記され得る。出力された情報等は削除されてもよい。入力された情報等は他の装置へ送信されてもよい。
【００４１】
本明細書で説明した各態様／実施形態は単独で用いられてもよいし、組み合わせて用いられてもよいし、実行に伴って切り替えて用いられてもよい。また、所定の情報の通知（例えば、「Ｘであること」の通知）は、明示的に行うものに限られず、暗黙的（例えば、当該所定の情報の通知を行わない）によって行われてもよい。
【００４２】
なお、本明細書で説明した用語及び／又は本明細書の理解に必要な用語については、同一の又は類似する意味を有する用語と置き換えてもよい。
【００４３】
また、本明細書で説明した情報、パラメータなどは、絶対値で表されてもよいし、所定の値からの相対値で表されてもよいし、対応する別の情報で表されてもよい。
【００４４】
上述したパラメータに使用される名称はいかなる点においても限定的なものではない。さらに、これらのパラメータを使用する数式等は、本明細書で明示的に開示したものと異なる場合もある。
【００４５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」との両方を意味する。
【００４６】
本明細書で使用する「第１」、「第２」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素への参照は、２つの要素のみがそこで採用され得ること、又は何らかの形で第１の要素が第２の要素に先行しなければならないことを意味しない。
【００４７】
「含む（including）」、「含んでいる（comprising）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。
【００４８】
本明細書において、文脈又は技術的に明らかに１つのみしか存在しない装置であることが示されていなければ、複数の装置をも含むものとする。
【符号の説明】
【００４９】
１…眼鏡型画像表示装置、１０…画像表示ユニット、１１…コンテンツ蓄積部、１２…画像出力部、１３…制御部、２０Ａ、２０Ｂ…透過ホログラム、３０Ａ、３０Ｂ…反射ホログラム、４０…導波路、４０Ａ…導波ガラス、４０Ｂ…回折光学素子、５０…レンズ、５０Ａ…眼鏡レンズ面、５０Ｂ…眼鏡レンズ面、５１…ブリッジ、５２…テンプル、６０…調整用レンズ、６１…成型用レンズ、１００１…プロセッサ、１００２…メモリ、１００３…ストレージ、１００４…通信装置、１００５…入力装置、１００６…出力装置、１００７…バス。
【図１】
2020246256.tif 000003
【図２】
2020246256.tif 000004
【図３】
2020246256.tif 000005
【図４】
2020246256.tif 000006
【図５】
2020246256.tif 000007
【図６】
2020246256.tif 000008
【図７】
2020246256.tif 000009
【図８】
2020246256.tif 000010
【図９】
2020246256.tif 000011
【図１０】
2020246256.tif 000012
【図１１】
2020246256.tif 000013
【図１２】
2020246256.tif 000014
【国際調査報告】
2020246256.tif 000015
2020246256.tif 000016
2020246256.tif 000017
2020246256.tif 000018